(57)【要約】【課題】  各種データを簡単に検索して見やすく表示することができる。【解決手段】  情報処理装置で管理される記憶装置５に格納されたデータを検索し、その検索結果を表示装置２に表示する検索システムの表示方法において、  情報処理装置の起動時のデイスクトップ画面１００に検索アイコン１０を表示し、この検索アイコン１０の操作で検索を実行し、この検索で得られた検索結果２０を、予め設定された２つの表示条件にしたがって、当該検索アイコン１０を基準に、前記デイスクトップ画面１００に２次元で表示する。【選択図】  図１
2007265060.tif 000002
【特許請求の範囲】
【請求項１】
情報処理装置で管理される記憶装置に格納されたデータを検索し、その検索結果を表示装置に表示する検索システムの表示方法において、
情報処理装置の起動時のデイスクトップ画面に検索アイコンを表示し、この検索アイコンの操作で検索を実行し、この検索で得られた検索結果を、予め設定された２つの表示条件にしたがって、当該検索アイコンを基準に、前記デイスクトップ画面に２次元で表示することを特徴とする検索システムの画面表示方法。
【請求項２】
前記請求項１記載の検索システムの画面表示方法において、
前記検索アイコンは、検索条件を設定する検索条件設定部と、検索結果の表示と非表示を選択する表示設定部と、表示条件を設定する表示条件設定部を備えていることを特徴とする検索システムの画面表示方法。
【請求項３】
前記請求項１記載の検索システムの画面表示方法において、
前記検索条件設定部及び表示条件設定部が操作されると、前記検索アイコンの周囲に検索条件を設定するための入力部を備えたサブアイコンを表示することを特徴とする検索システムの画面表示方法。
【発明の詳細な説明】
【技術分野】
【０００１】
本発明は、情報処理装置の管理下で管理されている各種データを簡単に検索できる検索システムの表示方法に関する。
【背景技術】
【０００２】
近年の情報処理装置は、記憶容量が大きくなってきたことにより、多種多様なデータを記憶装置に格納することができる。このような情報処理装置にあっては、これらのデータを簡単に検索できるように、多様な検索システムが提案されている。
例えば、ごく普及した検索システムでは、スタートメニューから「検索」を選択すると、検索条件のウインドウが表示され、このウインドウに、タイトル名に含まれるキーワードやデータの種類や作成日などを指定して検索することにより、リスト形式で検索結果を表示することができる。
また、他の従来例では、検索された結果を、仮想的な三次元空間に配列して表示画面に表示するものがある。この従来例は、一つの中心位置を中心に、角度をジャンル別に割り当て、遠近感で表示する奥行き方向に利用頻度を割り当てるものである。
【０００３】
【特許文献１】ＷＯ００／１１５４０号公報
【発明の開示】
【発明が解決しようとする課題】
【０００４】
前記従来例によれば、任意の検索条件を指定することにより、記憶装置やシステム的に接続している記憶装置に格納された各種のデータを検索することができる。しかし、これらの検索システムは、スタートメニューから複数のステップを踏んで検索結果を得る必要がある。また、検索結果は、リスト形式で表示されるため、検索結果が多くなると、この検索結果の中から、利用者が自身の目で確認したり、再度、検索条件を変えた検索ステップを繰り返えさなければならない。
【０００５】
一方、仮想的な三次元空間のシステムでは、検索結果を見易い三次元で表示することが可能であるが、新たな検索プログラムを情報処理装置上で立ちあげるため時間がかかったり、多くの検索ステップを踏まなければ検索結果を得ることができない。
【０００６】
そこで、この発明の目的とするところは、各種データを簡単に検索して見やすく表示することができる検索結果の表示方法を提供することにある。
【課題を解決するための手段】
【０００７】
本発明は、前記目的を達成するために、表示画面上に検索条件を設定し、また、検索を実行させる検索アイコンを表示し、この検索アイコンを基準に検索アイコンの周囲に検索結果を表示させる。具体的には、情報処理装置で管理される記憶装置に格納されたデータを検索し、その検索結果を表示装置に表示する検索システムの表示方法において、情報処理装置の起動時のデイスクトップ画面に検索アイコンを表示し、この検索アイコンの操作で検索を実行し、この検索で得られた検索結果を、予め設定された２つの表示条件にしたがって、当該検索アイコンを基準に、前記デイスクトップ画面に２次元で表示するようにする。
【発明の効果】
【０００８】
本発明によれば、画面上に表示される検索アイコンで、検索条件の設定や検索実行を指示できるとともに、この検索アイコンを基準に検索結果を表示できるので、各種データを簡単に検索して見やすく表示することができる。
【発明を実施するための最良の形態】
【０００９】
以下、図１から図１３を参照して、この発明に係る検索システムを詳細に説明する。なお、同一の部位や方向などは同一符号を持って示し、重複した説明を省略する。
【００１０】
先ず、図１と図２を参照して、この実施の形態に係る検索システムの概略構成を説明する。図１は、代表的な表示画面図であり、図２はこの検索システムがインストールされる情報処理装置の装置構成図である。
【００１１】
図２において、この検索システムは、極一般的な情報処理装置にインストールすることができる。図２は、この検索システムをインストールして動作できる情報処理装置の一例を示すブロック図である。この情報処理装置は、この情報処理装置を統括制御する制御部１と、表示装置２と、キーボード３と、マウス４と、各種のデータを格納する記憶装置５と、プリンタ６と、外部ネットワークなどと接続する通信装置７とから構成される。
【００１２】
この実施の形態に係る情報処理装置は、ウインドウシステムのOS上で様々なソフトウエアを動作することができる。この検索システムは、CDやDVDなどの記録媒体や前記通信装置７を介して接続されるインターネットを介してインストールすることができる。また、この検索システムは、極一般的なソフトウエアと同様に、インストールされると前記記憶装置５に格納される。
【００１３】
そして、この検索システムの大きな特徴の１つは、図１（ａ）図に示すように、情報処理装置を立ち上げると、この立ち上がった表示装置２に表示されるデイスクトップの表示画面１００上に、この検索システムを起動させるための検索アイコン１０が他の起動アイコンとともに表示される点にある。したがって、この検索アイコン１０を操作することにより、検索をすばやく実行することができる。
【００１４】
また、この検索システムの他の特徴の１つは、前記検索アイコン１０が表示される表示画面１００、ここでは、デイスクトップ上を、この検索システムで検索される検索結果を表示するための表示領域として活用する点にある。
【００１５】
即ち、従来のアイコンは、特定のプログラムを立ち上げるための起動操作ボタンとして利用される。このため、従来のアイコンをマウスなどでダブルクリックすると、表示画面にアイコンに対応したウインドウが開いて、このウインドウに対応する表示画面が表示される。
【００１６】
しかし、この検索システムでは、前記検索アイコン１０が表示される表示領域（デイスクトップ）を検索結果２０の表示領域として活用する。ここで、検索結果とは、記憶装置５に格納されるフアイルを呼び出すためのアイコンやサムネールである。したがって、利用者は、このアイコンやサムネールを操作することで、当該アイコンに対応するフアイルを起動させることができる。このため、検索結果がデイスクトップに配置したアイコンと同様に操作することができるので、目的のフアイルを短いステップで起動させることができる。
また、この検索システムの他の特徴の１つは、検索結果２０を表示するに当り、この検索アイコン１０を検索結果を表示するための基準点とする点にある。この実施の形態では、キーワード検索で得られた結果を、予め設定される２つの関連情報を2軸として２次元表示する。例えば、図１は、検索結果を、前記検索アイコン１０の周囲に表示した画面例を示している。これの実施の形態では、キーワードのヒット率（第１表示条件）とデータ更新日（第２表示条件）を２軸として、半径方向と検索アイコン１０を中心とする角度Θに割り当てて検索結果を表示する。これにより、検索結果２０が検索アイコン１０の周囲にキーワードのヒット率とデータ更新日に対応して２次元で配置表示されるので、その分布状況により、検索結果を概念的に認識することができるから、検索結果を容易に把握することができる。
【００１７】
また、この検索システムの他の特徴の１つは、前記検索アイコン１０は、検索条件や検索結果の表示または非表示を操作するための操作機能を備えている点にある。例えば、図１の（ｂ）図は検索結果１０を非表示とした場合の表示画面を図示したものである。したがって、この実施の形態では、図１（ｂ）図に示すように、通常のデイスクトップの画面から、検索アイコン１０を操作することにより、検索結果の表示画面として利用できるから、操作が簡便であるとともに、操作ステップを大きく減らすことができる。
【００１８】
また、デイスクトップ上に利用頻度の高いアイコンを配置すると、デイスクトップから、すばやく目的のフアイルやプログラムを起動させることができる。しかし、このデイスクトップに多くのアイコンを常時表示すると、デイスクトップが煩雑になるばかりか、起動時間がかかるとの課題がある。この点、前記検索アイコン１０を操作するだけで、必要なフアイルやプログラムアイコンをすばやく、かつ見やすい配置で表示することができる。
【００１９】
以下、図３から図１３を参照して、この実施の形態に係る検索システムを更に詳細に説明する。ここで、図３は、検索結果のデータ構成図である。図４から図１３は検索画面例を示している。
【００２０】
先ず、図３において、この実施の形態では、パソコンなどの情報処理装置の起動メニューの１つとして登録することで、情報処理装置が起動すると、デイスクトップ上に前記検索アイコン１０が表示される。しかし、起動メニューからの立ち上げではなく、通常のプログラムと同様にプログラムメニューから起動させて、デイスクトップ上に検索アイコン１０を表示させるようにしてもよい。
【００２１】
図３に示すように、この実施の形態では、この検索システムが情報処理装置にインストールされ検索が実行されると、図３に示すような、検索結果のデータベースを作成する。例えば、図３の例では、前記制御部１が、この検索システムで特定されるキーワードに基づいて、この制御部１の管轄下にある記憶装置５のデータを検索し、その検索内容を前記データベースに格納したデータ構成図を示している。制御部１は、データベースを作成するにあたり、検索されたフアイルから、データ名、サイズ、データの種類としての拡張子、更新日、コメントデータ、作成者などをコピーして、新たな検索リストを作成する。そして、キーワードヒット率と、図示しないサムネール情報と、データを呼び出すためのアドレスなどを作成する。ここで、キーワードヒット率とは、タイトル名とコメントに含まれるキーワードの個数を示すものである。これらキーワードヒット率や更新日などの各データの項目（横軸）は検索結果を表示するための表示条件として活用される。
【００２２】
図４において、この実施の形態に係る前記検索アイコン１０は、例えば、円形の操作ボタンとしての形状を備えるとともに、４つの操作機能ボタンを備えている。１つの操作ボタン１１は、検索条件の編集機能であり、他の１つは検索結果を表示するか否かの操作ボタン１２であり、他の１つは、機能設定条件を入力する操作ボタン１３であり、他の１つは、表示形式の切り替えを設定する操作ボタン１４である。これらの4つの操作ボタンは、検索アイコン１０の４つの円形部をマウスなどでクリックすることで、図５から図８に示す入力ウインドウを開かせたり、対応する処理を実行させることができる。
【００２３】
図５において、前記操作ボタン１１をマウスでクリック指示すると、制御部１は、サブウインドウ１５を表示する。この実施の形態では、キーワード検索を検索条件に設定している。したがって、前記サブウインドウ１５にはキーワード入力部１６が表示される。利用者は、このキーワード入力部１６にカーソルを合わせることで任意のキーワードを設定することができる。
【００２４】
また、前記サブウインドウ１５には、前記キーワード入力部１６とともに検索実行キー１７と、キャンセルキー１８と、詳細設定キー１９も設けられている。前記実行キー１７はキーワード入力部１６に入力された検索を実行するものであり、この実行キー１７が操作されると、制御部１は、このサブウインドウ１５を非表示として、前記検索を実行し、その検索結果を図１（ａ）図のように表示する。また、キャンセルキー１８は、前記キーワード入力部１６に入力された内容を消去し、サブウインドウ１５を非表示とする。更に、詳細設定キー１９は、検索条件を細かく設定するものであり、この詳細設定キー１９が操作されると、（ｂ）図に示すサブウインドウ２０を表示する。
【００２５】
このサブウインドウ２０は、前記キーワード入力部１６の入力とともに、検索範囲を設定することができる。この実施の形態では、このサブウインドウ２０に、検索範囲を指定する項目として、データの格納場所を設定する格納場所設定部２１と、データの修正（更新）範囲を設定する更新範囲設定部２２と、作成者を設定する作成者指定部２３が設けられている。利用者は、前記各部に設けた操作ボタンあるいは入力欄に入力することにより、検索範囲を指定することができる。
【００２６】
制御部１は、このサブウインドウ２０の実行キー１７が操作されると、このサブウインドウ２０を非表示として、前記設定された検索範囲を検索し、その検索結果を前記図１の（ａ）図のように表示する。
【００２７】
次に、操作ボタン１２が操作されると、制御部１は検索結果を図６（ａ）図に示すように表示し、再度、操作ボタン１２が操作されると、検索結果を図６（ｂ）図に示すように非表示とする。このように、この実施の形態では、前記操作ボタン１２の１操作で検索結果を表示したり非表示とすることができる。
【００２８】
次に、操作ボタン１３を操作することにより、検索結果の表示方法を機能設定条件として設定することができる。制御部１は、前記操作ボタン１３が操作されると、検索アイコン１０の周囲にサブウインドウ２４を表示する。このサブウインドウ２４には、検索結果の表示個数の上限を設定するデータ個数設定部２５と、検索結果の表示（配列）を設定ための第１条件設定部２６及び第２条件設定部２７と、検索結果の表示の大きさを設定する大きさ設定部２８とが設けられている。これらの設定部はその片側に設けたボタンを操作することで複数の設定内容をプルダウン表示して、その中から１つを選択することができる。
【００２９】
この実施の形態では、キーワードで検索された結果を、検索アイコン１０を基準にして２次元で配列することができる。前記第１条件設定部２６及び第２条件設定部２７は、２次元表示の２軸を設定するものである。この２つの設定部２６、２７は、図１の（ａ）図に示すように、検索結果を表示させた状態でも表示することができる。
図１（ａ）図では、検索アイコン１０の周囲に２次元で検索結果を表示するので、直径方向の距離を規定する第１表示条件をヒット率とし、基点からの角度Θを規定する第２表示条件として更新日を設定している。この実施の形態では、第２の表示条件の基点を検索条件の上方位置としている。
【００３０】
次に、操作ボタン１４を操作することにより、検索アイコン１０を基準にした検索結果の表示形式を設定することができる。制御部１は、前記操作ボタン１４が操作されると、８図に示すサブウインドウ２９を表示する。このサブウインドウ２９には、表示形式設定部３０と表示の色を設定する色設定部３１が配置される。これらの設定部はプルダウン操作で、複数の選択枝から１つを設定することができる。
【００３１】
この実施の形態では、検索アイコン１０の周囲３６０度を表示領域とする図１に示す第１表示形式と、角度Θの範囲を規定した図１１に示す第２表示形式と、２つの表示条件をX軸と、このX軸と９０度ずらした図１２、図１３に示す第３、第４表示形式が準備されている。ここでは、図１から図１０を参照して、第１表示形式を用いた表示方法を詳細に説明し、他の表示形式は相違点のみ説明する。
【００３２】
先ず、利用者は、「Ａ」をキーワードととして検索する場合、検索アイコン１０の操作ボタン１１を操作してサブウインドウ１５のキーワード入力部１６に「Ａ」を入力する。そして、検索実行キー１７を操作すると、制御部１は、図５の（ｂ）図の格納場所設定部２１の設定内容によって、データフアイルを検索し、その結果を図３に示すような検索結果リストを作成し、記憶装置５の所定の位置に作成する。
【００３３】
ここで、図３において、制御部１は、データ名とコメントから検索キーワードの個数を検索してキーワードヒット率を生成する。例えば、Ａ００１のデータは、データ名に「１個」、コメントに「４個」合計５個の「Ａ」を検出できるので、制御部１は「Ａ００１」のヒット率の欄に「５」を記録する。同様な手法で、制御部１は、各データ名のヒット率欄にそれぞれの数値を記録する。
【００３４】
さて、制御部１は、サブウインドウ１５の検索実行キー１７が操作されると、サブウインドウ１５を消去して、この検索アイコン１０を基準点として、図８のサブウインドウ２９の表示形式設定部３０で設定された表示形式で検索結果を表示する。ここでは、第1表示形式である円形表示が選択されているとして説明を続ける。
【００３５】
制御部１は、第1表示形成を生成するにあたり、第１条件設定部２６及び第２条件設定部２７の基準座標を生成する。ここでは、円形表示であるので、第１表示条件を直径方向の長さとして生成する。
【００３６】
図３に示すように、制御部１は、ヒット率の大きいデータ名Ａ００１の「５」を基準にして、予め設定された直径を５分割して、最内径をヒット率５とし、最外径をヒット率１とする第１の軸を生成する。更に、制御部１は、図７に示すサブウインドウ２４のデータ個数設定部２５の設定内容にしたがって、ヒット率の高いほうから５個のデータを抽出し、その5個の更新日の早いものと遅いもの間の期間を算出し、その期間を３６０度に割り振って第２の軸を生成する。ここでは「２００５／１２／１１」と「２００６／０３／１１」の間の期間を３６０度に割り振る。そして、制御部１は、図３の（ｂ）図に示すように、Ａ００１からＡ００５の５個のデータを前記２軸で生成される座標位置に配置する。なお、ここで説明した検索結果の配置手法は、１例であって、これに限定されるものではない。
【００３７】
図９において、この実施の形態によれば、デイスクトップ上に表示された検索結果は、それぞれのアイコン３１がカーソル３２でクリックされると、制御部１は、サブウインドウ３３を表示して、当該アイコン３１に対応する詳細データを記憶装置５から呼び出してサブウインドウ３３内に表示する。これにより、検索結果の各フアイルをいちいち開かなくとも、その概要を知ることができる。
【００３８】
また、図１０に示すように、この検索アイコン１０は、カーソル３２を介して、デイスクトップ上を自由に移動させることができる。例えば、図１０は、カーソルデイスクトップ中央から斜め上方に移動させた状態を示している。この例では、検索アイコン１０を中心とする検索結果の表示は、検索アイコン１０の移動にともなって移動するようにしている。
【００３９】
次に、図１１に示すのは、角度Θの範囲を規定した第２表示形式を示している。この例では、最大角度を１８０度に設定したものである。このような表示形式によれば、検索アイコン１０の位置がデイスクトップの端に配置されているときに便利である。また、この例では、利用者が最大角度を事前に設定する例で説明したが、この設定を制御部１が自動で行っても良い。例えば、利用者がカーソル３２を介して検索アイコン１０を移動させることにより、デイスクトップ上から外れる角度範囲を制御部１が判定して、その外れる角度範囲を除外した範囲内を表示領域とするようにしても良い。
【００４０】
次に、図１２、図３は、２つの表示条件をX軸と、このX軸と９０度ずらしたＹ軸として表示する第３、第４表示形式を示したものである。図１２は、検索アイコン１０の横方向（Ｘ軸方向）に第１の表示条件を長さに割り当て、このX軸と９０度ずらした上方（Ｙ方向）に第２の表示条件を長さに割り当てて２つの表示座標を生成する例を示している。
また、図１３は、検索アイコン１０の左右方向（Ｘ軸方向）に第１の表示条件を長さに割り当て、このX軸と９０度ずらした上下方向（Ｙ方向）に第２の表示条件を長さに割り当てて２つの表示座標を生成する例を示している。
【００４１】
なお、前記説明では、予め設定された２つの表示条件により２次元で表示させた事例で説明したが、これに限定されるものではない。例えば、３つの表示上権により３次元で表示させるようにしても良い。
【図面の簡単な説明】
【００４２】
【図１】この実施の形態に係る検索システムの代表的な表示画面図である。
【図２】この実施の形態に係る検索システムがインストールされる情報処理装置のブロック図である。
【図３】検索結果のデータ構成図である。
【図４】この実施の形態に係る検索システムの表示画面図である。
【図５】この実施の形態に係る検索システムの表示画面図である。
【図６】この実施の形態に係る検索システムの表示画面図である。
【図７】この実施の形態に係る検索システムの表示画面図である。
【図８】この実施の形態に係る検索システムの表示画面図である。
【図９】この実施の形態に係る検索システムの表示画面図である。
【図１０】この実施の形態に係る検索システムの表示画面図である。
【図１１】この実施の形態に係る検索システムの表示画面図である。
【図１２】この実施の形態に係る検索システムの表示画面図である。
【図１３】この実施の形態に係る検索システムの表示画面図である。
【符号の説明】
【００４３】
１…制御部、２…表示装置、３…キーボード、４…マウス、５…記憶装置、１００…表示画面、１０…検索アイコン、２０…検索結果、Θ…角度。
【図１】
2007265060.tif 000003
【図２】
2007265060.tif 000004
【図３】
2007265060.tif 000005
【図４】
2007265060.tif 000006
【図５】
2007265060.tif 000007
【図６】
2007265060.tif 000008
【図７】
2007265060.tif 000009
【図８】
2007265060.tif 000010
【図９】
2007265060.tif 000011
【図１０】
2007265060.tif 000012
【図１１】
2007265060.tif 000013
【図１２】
2007265060.tif 000014
【図１３】
2007265060.tif 000015